(57)【要約】セル内の移動局（移動局２を含む）が基地局（１）に対して周期的にチャネル品質情報を送信する場合、基地局（１）では、前記セル内の各移動局から送られてくるチャネル品質情報のフレーム内の位置を判定し、当該判定結果に基づいて、各移動局によるチャネル品質情報の送信タイミングが分散するようにオフセット情報を生成し、それらを各移動局に対して通知する。一方、各移動局では、受け取ったオフセット情報に基づいてチャネル品質情報の送信タイミングを調整し、以降、このタイミングでチャネル品質情報を送信する。
2005089004.tif 000002
【特許請求の範囲】
【請求項１】
セル内の移動局が基地局に対して周期的にチャネル品質情報を送信するチャネル品質情報の送信タイミング調整方法において、
前記セル内の各移動局から送られてくるチャネル品質情報のフレーム内の位置を判定する位置判定ステップと、
前記位置判定ステップの判定結果に基づいて、各移動局によるチャネル品質情報の送信タイミングのオフセット情報を生成し、それらを各移動局に対して通知するオフセット情報生成ステップと、
前記各移動局が、受け取ったオフセット情報に基づいて前記チャネル品質情報の送信タイミングを調整し、以降、調整後の送信タイミングで前記チャネル品質情報を送信する送信タイミング調整ステップと、
を備えることを特徴とするチャネル品質情報の送信タイミング調整方法。
【請求項２】
前記位置判定ステップにおいて、前記基地局が、前記セル内の各移動局から送られてくる前記チャネル品質情報を受信し、受信したチャネル品質情報の前記フレーム内の位置を測定し、
前記オフセット情報生成ステップにおいて、前記基地局が測定結果に基づき各移動局による前記チャネル品質情報の送信タイミングが分散するように前記オフセット情報を生成し、生成した前記オフセット情報を各移動局に対して通知することを特徴とする請求の範囲第１項に記載のチャネル品質情報の送信タイミング調整方法。
【請求項３】
前記位置判定ステップにおいて、前記基地局は、前記セル内の各移動局から送られてくる前記チャネル品質情報を受信し、受信したチャネル品質情報の前記フレーム内の位置を測定し、
前記オフセット情報生成ステップにおいて、前記基地局は、測定結果に基づいて、各移動局によるチャネル品質情報の送信タイミングが分散するようにオフセット情報を生成し、生成したオフセット情報を無線ネットワーク制御装置（ＲＮＣ）に対して通知し、
前記ＲＮＣは、前記基地局を介し、受け取った各オフセット情報をそれぞれ対応する移動局に対して通知するオフセット情報中継ステップを実行することを特徴とする請求の範囲第１項に記載のチャネル品質情報の送信タイミング調整方法。
【請求項４】
前記送信タイミング調整ステップにおいて、前記各移動局は、受け取ったオフセット情報に基づいて前記チャネル品質情報の送信タイミングを再計算し、以降、前記再計算後の送信タイミングで前記チャネル品質情報を送信することを特徴とする請求の範囲第３項に記載のチャネル品質情報の送信タイミング調整方法。
【請求項５】
前記位置判定ステップにおいて、前記基地局は、無線ネットワーク制御装置（ＲＮＣ）から、前記チャネル品質情報の送信タイミングを計算するための情報を受信し、受信した情報に基づいて、前記チャネル品質情報の前記フレーム内の位置を判定し、
前記オフセット情報生成ステップにおいて、前記基地局は、前記位置判定ステップの判定結果に基づいて、各移動局による前記チャネル品質情報の送信タイミングが分散するようにオフセット情報を生成し、それらを各移動局に対して通知することを特徴とする請求の範囲第１項に記載のチャネル品質情報の送信タイミング調整方法。
【請求項６】
前記基地局が、各移動局のラウンドトリップ時間を測定するラウンドトリップ時間測定ステップをさらに備え、
前記位置判定ステップにおいて、前記基地局は無線ネットワーク制御装置（ＲＮＣ）から、前記チャネル品質情報の送信タイミングを計算するための情報を受信し、当該受信情報および前記ラウンドトリップ時間の測定結果に基づいて、前記チャネル品質情報の前記フレーム内の位置を判定し、
前記オフセット情報生成ステップにおいて、前記基地局が位置判定ステップの判定結果に基づいて、前記オフセット情報を生成するとともに、生成したオフセット情報を各移動局に通知することを特徴とする請求の範囲第１項に記載のチャネル品質情報の送信タイミング調整方法。
【請求項７】
前記基地局が、各移動局のラウンドトリップ時間を測定するラウンドトリップ時間測定ステップをさらに備え、
前記オフセット情報生成ステップにおいて、前記基地局が無線ネットワーク制御装置（ＲＮＣ）から、前記チャネル品質情報の送信タイミングを計算するための情報を受信し、当該受信情報および前記ラウンドトリップ時間の測定結果に基づいて、各移動局による前記チャネル品質情報の送信タイミングが分散するように前記オフセット情報を生成し、生成したチャネル品質情報を前記ＲＮＣに対して通知し、前記ＲＮＣが、受け取った各オフセット情報をそれぞれ対応する移動局に対して通知するとともに、
前記送信タイミング調整ステップにおいて、各移動局が、受け取ったオフセット情報に基づいて前記チャネル品質情報の送信タイミングを再計算し、以降、前記再計算後の送信タイミングで前記チャネル品質情報を送信することを特徴とするチャネル品質情報の送信タイミング調整方法。
【請求項８】
基地局に対して周期的にチャネル品質情報を送信する移動局によるチャネル品質情報の送信タイミング調整方法において、
複数の移動局からのチャネル品質情報の受信タイミングに基づいて前記基地局が調整したオフセット情報を受信する受信ステップと、
受信した前記オフセット情報に基づいて、前記チャネル品質情報の送信タイミングを再調整する送信タイミング調整ステップと、
前記送信タイミング調整ステップによって調整された送信タイミングに従って、前記チャネル品質情報を送信する送信ステップと、
を含むことを特徴とするチャネル品質情報の送信タイミング調整方法。
【請求項９】
セル内の移動局から周期的にチャネル品質情報を受信する基地局によるオフセット情報生成方法において、
前記セル内の各移動局から送られてくる前記チャネル品質情報のフレーム内における受信タイミングを判定する判定ステップと、
前記判定ステップにおいて判定した受信タイミングに基づいて、各移動局による前記チャネル品質情報の送信タイミングが分散するようにオフセット情報を生成するオフセット情報生成ステップと、
生成した各オフセット情報を、対応する移動局に対して通知するオフセット情報通知ステップと、
を含むことを特徴とするオフセット情報生成方法。
【請求項１０】
さらに、各移動局のラウンドトリップ時間を測定するラウンドトリップ時間測定ステップ、
を含み、
前記判定ステップにあっては、無線ネットワーク制御装置から受信したタイミングオフセット情報、および前記ラウンドトリップ時間の測定結果に基づいて、前記受信タイミングを判定することを特徴とする請求の範囲第９項に記載のオフセット情報生成方法。
【請求項１１】
基地局に対して周期的にチャネル品質情報を送信する端末において、
前記チャネル品質情報の送信周期を計算する送信周期計算手段と、
前記チャネル品質情報の受信タイミングに基づいて前記基地局が再調整したオフセット情報を前記基地局から受信し、前記オフセット情報及び前記送信周期計算手段が計算した送信周期に基づいて、前記チャネル品質の送信タイミングを再調整し、以降、再調整後の送信タイミングで前記チャネル品質情報を送信する送信タイミング調整手段と、
を備えることを特徴とする端末。
【請求項１２】
前記受信タイミングは、無線ネットワーク制御装置から受信したタイミングオフセット情報に基づいて、推定された受信タイミングであることを特徴とする請求の範囲第１１項に記載の端末。
【請求項１３】
送信タイミング調整手段は、初期コンフィギュレーション後に、他の端末のチャネル品質情報の送信タイミングに従って前記送信タイミングを再調整することを特徴とする請求の範囲第１１項に記載の端末。
【請求項１４】
セル内の移動局から周期的にチャネル品質情報を受信する基地局において、
前記セル内の各移動局から送られてくる前記チャネル品質情報の受信タイミングに基づいて、各移動局による前記チャネル品質情報の送信タイミングに対するオフセット情報を生成するオフセット情報生成手段と、
このオフセット情報生成手段により生成されたオフセット情報を送信する送信手段と、
を備えることを特徴とする基地局。
【請求項１５】
各移動局から実際に受信したチャネル品質情報の受信タイミングを測定する位置測定手段をさらに備え、
前記オフセット情報生成手段は、前記位置測定手段が測定した受信タイミングに基づいて、前記オフセット情報を生成することを特徴とする請求の範囲第１４項に記載の基地局。
【請求項１６】
前記オフセット情報生成手段は無線ネットワーク制御装置から受信したタイミングオフセット情報に基づいて推定した受信タイミングに基づいて、前記オフセット情報を生成することを特徴とする請求の範囲第１４項に記載の基地局。
【請求項１７】
さらに、各移動局のラウンドトリップ時間を測定するラウンドトリップ時間測定手段、
を備え、
前記オフセット情報生成手段は、前記タイミングオフセット情報、および前記ラウンドトリップ時間の測定結果に基づいて、前記オフセット情報を生成することを特徴とする請求の範囲第１６項に記載の基地局。
【請求項１８】
基地局および当該基地局に対して周期的にチャネル品質情報を送信する移動局とともに通信システムを構成する無線ネットワーク制御装置において、
前記基地局にて、各移動局による前記チャネル品質情報の送信タイミングが分散するように生成されたオフセット情報を、それぞれ対応する移動局に対して通知するオフセット情報中継手段、
を備えることを特徴とする無線ネットワーク制御装置。
【発明の詳細な説明】
【技術分野】  この発明は、移動局が基地局に対して周期的にチャネル品質情報を送信する無線通信システムに関するものであり、詳細には、セル内の移動局が基地局に対して送信するチャネル品質情報の送信タイミングを調整する場合の送信タイミング調整方法に関するものである。
【背景技術】  以下、従来の無線通信システムにおけるチャネル品質情報の送信タイミングの例として、３ＧＰＰ（３ｒｄ  Ｇｅｎｅｒａｔｉｏｎ  Ｐａｒｔｎｅｒｓｈｉｐ  Ｐｒｏｊｅｃｔ）におけるＣＱＩ（Ｃｈａｎｎｅｌ  Ｑｕａｌｉｔｙ  Ｉｎｄｉｃａｔｏｒ）の送信タイミングについて説明する。
無線通信システムにおいては、限りある無線リソースを有効に制御してシステム容量の最大化を図ることが求められる。特に、無線環境では、リンク品質がユーザ毎に異なりかつ動的に変化するため、基地局が、セル内の各移動局からＨＳ−ＤＰＣＣＨ（ｈｉｇｈ  ｓｐｅｅｄ  Ｄｅｄｉｃａｔｅｄ  Ｐｈｙｓｉｃａｌ  Ｃｏｎｔｒｏｌ  Ｃｈａｎｎｅｌ）を介して送られてくるＣＱＩに応じて無線リソースを割り当てている。したがって、無線リソースを有効に制御するためには、上りの干渉をできるだけ低減する必要がある。
現在、たとえば、３ＧＰＰの中で規定されているＨＳＤＰＡ（Ｈｉｇｈ−Ｓｐｅｅｄ  Ｄｏｗｎｌｉｎｋ  Ｐａｃｋｅｔ  Ａｃｃｅｓｓ）において、移動局によるＣＱＩの送信タイミングは、下記（１）式のように規定されている（下記非特許文献１参照）。
2005089004.tif 000003
ここでは、ｋ´による割り算の結果が０の場合（（１）式の（・）の計算結果が０，ｋ´，２ｋ´，３ｋ´・・・の場合）にＣＱＩを出力する。なお、ＣＦＮ（Ｃｏｎｎｅｃｔｉｏｎ  Ｆｒａｍｅ  Ｎｕｍｂｅｒ）は、無線ネットワーク制御装置（ＲＮＣ：Ｒａｄｉｏ  Ｎｅｔｗｏｒｋ  Ｃｏｎｔｒｏｌｌｅｒ）から通知され、ＣＱＩ送信の基準となる値（０〜１０ｍｓ）である。ｍは、ｍ×２５６ｃｈｉｐが最大３８４００ｃｈｉｐ（１０ｍｓ）となる値である。ｋは、ＲＮＣから通知され、”Ｃｈａｎｎｅｌ  Ｑｕａｌｉｔｙ  Ｉｎｄｉｃａｔｏｒ（ＣＱＩ）ｆｅｅｄｂａｃｋ  ｃｙｃｌｅ  ｋ（ｋ∈｛０，２，４，８，１０，２０，４０，８０，１６０ｍｓ｝）”と定義されている（非特許文献１，非特許文献２参照）。
すなわち、従来における移動局によるＣＱＩの送信タイミングは、ＲＮＣから通知されるＣＦＮとｋの組み合わせによって規定されることになる。
【非特許文献１】    ３ＧＰＰ  ＴＳ  ２５．２１４  Ｖ５．７．０（２００３−１２）
【非特許文献２】    ３ＧＰＰ  ＴＳ  ２５．３３１  Ｖ５．５．０（２００３−１２）
しかしながら、前述した文献に記載された従来の無線通信システムにおいては、チップオフセット（ｍ×２５６ｃｈｉｐ）が１サブフレーム（７６８０ｃｈｉｐ）内の移動局同士で、ＣＱＩの送信タイミングが同一になり（非特許文献１  ６Ａ．１．２参照）、上りの干渉が増大する、という問題があった。
また、上記従来の無線通信システムにおいては、初期コンフィギュレーション時またはリコンフィギュレーション時にチップオフセットが移動局に与えられる。また、３ＧＰＰにより規定されたＲＲＣ（Ｒａｄｉｏ  Ｒｅｓｏｕｒｃｅ  Ｃｏｎｔｒｏｌ）においては、移動局の呼毎にチップオフセットを設定することが記載されている（ＴＳ  ２５．４４３  Ｖ５．５．０（２００３−３）参照）。このように、従来の無線通信システムでは、上記特定のタイミングでＣＱＩの送信タイミングを変更可能であるが、その量は±２５６ｃｈｉｐであるため、サブフレーム（７６８０ｃｈｉｐ）間にまたがるＣＱＩ送信タイミングの変更（ＣＱＩを分散させる処理）は、数十回にわたるリコンフィギュレーションが必要になる場合があり、現実的ではない、という問題があった。
また、上記従来の無線通信システムにおいては、たとえば、ソフトハンドオーバー時に、元のセルの送信タイミングを引き継ぎ、移動先のセルにおいても前のセルのＣＱＩ送信タイミングが与えられることが規定されている（ＴＳ  ２５．４０２  Ｖ５．３．０  第８章）。しかしながら、上記引き継ぎでは、ＣＱＩを分散させるような送信タイミングの制御は行われていないので、ＣＱＩ送信タイミングの偏りを引き起こす可能性がある、という問題があった。
本発明は、上記に鑑みてなされたものであって、効率よくチャネル品質情報の送信タイミングを分散させ、上り干渉を低減可能なチャネル品質情報の送信タイミング調整方法を提供することを目的としている。
【発明の開示】
本発明にかかるチャネル品質情報の送信タイミング調整方法にあっては、セル内の移動局が基地局に対して周期的にチャネル品質情報を送信する場合に、セル内の各移動局から送られてくるチャネル品質情報のフレーム内の位置を判定する位置判定ステップと、測定結果に基づいて、各移動局によるチャネル品質情報の送信タイミングが分散するようにオフセット情報を生成し、それらを各移動局に対して通知するオフセット情報生成ステップと、各移動局が、受け取ったオフセット情報に基づいてチャネル品質情報の送信タイミングを調整し、以降、調整後の送信タイミングでチャネル品質情報を送信する送信周期調整ステップと、を備えたことを特徴とする。
この発明によれば、基地局が、各移動局から送られてくるチャネル品質情報の位置を判定し、各移動局によるチャネル品質情報の送信タイミングが分散するように、送信タイミングを再設定する構成とした。これにより、チャネル品質情報の偏りが低減され、上り干渉を大幅に低減できる。また、干渉を大幅に低減できることからシステム容量を増大させることが可能となる。
【図面の簡単な説明】  第１図は、本発明にかかる送信タイミング調整方法を実現するための実施の形態１の無線通信システムの構成を示す図であり、第２図は、装置間で送受信する信号を時系列的に表した図であり、第３図は、基地局１の処理の概要を示すフローチャートであり、第４図は、移動局２の処理の概要を示すフローチャートであり、第５図は、ＣＱＩオフセット情報生成／送信部１２によるＣＱＩオフセット情報生成処理の第１の具体例を示す図であり、第６図は、時間インデックスの一例を示す図であり、第７図は、ＣＱＩオフセット情報生成／送信部１２によるＣＱＩオフセット情報生成処理の第２の具体例を示す図であり、第８図は、ＣＱＩオフセット情報生成／送信部１２によるＣＱＩオフセット情報生成処理の第３の具体例を示す図であり、第９図は、本発明にかかる送信タイミング調整方法を実現するための実施の形態２の無線通信システムの構成を示す図であり、第１０図は、装置間で送受信する信号を時系列的に表した図であり、第１１図は、ＲＮＣ３ａの処理の概要を示すフローチャートであり、第１２図は、基地局１ａの処理の概要を示すフローチャートであり、第１３図は、移動局２の処理の概要を示すフローチャートであり、第１４図は、ＣＱＩオフセット情報生成／送信部１２ａによるＣＱＩオフセット情報生成処理の第１の具体例を示す図であり、第１５図は、ＣＱＩオフセット情報生成／送信部１２ａによるＣＱＩオフセット情報生成処理の第２の具体例を示す図であり、第１６図は、ＣＱＩオフセット情報生成／送信部１２ａによるＣＱＩオフセット情報生成処理の第３の具体例を示す図であり、第１７図は、本発明にかかる送信タイミング調整方法を実現するための実施の形態３の無線通信システムの構成を示す図であり、第１８図は、装置間で送受信する信号を時系列的に表した図であり、第１９図は、ＲＮＣ３ｂの処理の概要を示すフローチャートであり、第２０図は、基地局１ｂの処理の概要を示すフローチャートであり、第２１図は、移動局２ｂの処理の概要を示すフローチャートであり、第２２図は、本発明にかかる送信タイミング調整方法を実現するための実施の形態４の無線通信システムの構成を示す図であり、第２３図は、装置間で送受信する信号を時系列的に表した図であり、第２４図は、ＲＮＣ３ｃの処理の概要を示すフローチャートであり、第２５図は、基地局１ｃの処理の概要を示すフローチャートであり、第２６図は、移動局２ｃの処理の概要を示すフローチャートであり、第２７図は、タイミングオフセット情報生成／送信部１３ｃによるタイミングオフセット情報生成処理の第１の具体例を示す図であり、第２８図は、タイミングオフセット情報生成／送信部１３ｃによるタイミングオフセット情報生成処理の第２の具体例を示す図であり、第２９図は、タイミングオフセット情報生成／送信部１３ｃによるタイミングオフセット情報生成処理の第３の具体例を示す図であり、第３０図は、本発明にかかる送信タイミング調整方法を実現するための実施の形態５の無線通信システムの構成を示す図であり、第３１図は、ＣＱＩオフセット情報生成／送信部１２ｄによるＣＱＩオフセット情報生成処理の第１の具体例を示す図であり、第３２図は、Ｃ���Ｉオフセット情報生成／送信部１２ｄによるＣＱＩオフセット情報生成処理の第２の具体例を示す図であり、第３３図は、ＣＱＩオフセット情報生成／送信部１２ｄによるＣＱＩオフセット情報生成処理の第３の具体例を示す図であり、第３４図は、本発明にかかる送信タイミング調整方法を実現するための実施の形態６の無線通信システムの構成を示す図であり、第３５図は、タイミングオフセット情報生成／送信部１３ｅによるタイミングオフセット情報生成処理の第１の具体例を示す図であり、第３６図は、タイミングオフセット情報生成／送信部１３ｅによるタイミングオフセット情報生成処理の第２の具体例を示す図であり、第３７図は、タイミングオフセット情報生成／送信部１３ｅによるタイミングオフセット情報生成処理の第３の具体例を示す図である。
【発明を実施するための最良の形態】  以下に、本発明にかかるチャネル品質情報の送信タイミング調整方法、基地局および無線ネットワーク制御装置の実施の形態を図面に基づいて詳細に説明する。なお、この実施の形態により本発明が限定されるものではない。
第１図は、本発明にかかるチャネル品質情報の送信タイミング調整方法を実現するための実施の形態１の無線通信システムの構成を示す図である。
この無線通信システムは、基地局（Ｎｏｄｅ  Ｂ）１と、移動局（ＵＥ）２を含むセル内の複数の移動局（図示せず）で構成される。基地局１は、各移動局から送られてくるＣＱＩの位置を測定するＣＱＩ位置測定部１１と、その測定結果に基づいてＣＱＩ送信タイミングのオフセット情報（ＣＱＩオフセット情報）を生成するＣＱＩオフセット情報生成／送信部１２と、を備えている。また、移動局２（その他の移動局も同様）は、先に説明した従来技術の（１）式を計算してＣＱＩの送信タイミングを決定するＣＱＩ周期計算部２１と、ＣＱＩ周期計算部２１にて決定した送信タイミングを上記ＣＱＩオフセット情報に基づいて調整するＣＱＩオフセット調整部２２と、を備えている。なお、基地局及び移動局は、公知の基地局及び移動局に用いられる電子回路等のハードウェアで構成することができる。例えば、ＣＱＩ位置測定部１１は、図示しないアンテナから受信した無線信号を増幅する受信回路、この受信回路に接続され増幅された信号を復調する復調回路、並びに復調回路に接続され復調された信号を処理するＤＳＰ（Ｄｉｇｉｔａｌ  ｓｉｇｎａｌ  ｐｒｏｃｅｓｓｏｒ）若しくは汎用プロセッサを含む。ＣＱＩオフセット情報生成／送信部１２も、同様にＣＱＩ位置測定部１１が測定したＣＱＩ位置の情報に基づいて、ＣＱＩオフセット情報を計算するＤＳＰ（Ｄｉｇｉｔａｌ  ｓｉｇｎａｌ  ｐｒｏｃｅｓｓｏｒ）若しくは汎用プロセッサ（ＣＱＩ位置測定部のものと兼用することができる）、このプロセッサに接続され、プロセッサが生成したオフセット情報を変調する変調回路、この変調回路に接続され変調信号を増幅し、無線信号としてアンテナから出力する増幅回路を含む。移動局２においても、同様にアンテナ、増幅回路、変調回路、復調回路等を備えることは言うまでもない。
ここで、本実施の形態の無線通信システムの処理を、図面を用いて詳細に説明する。第２図は、各装置間で送受信する信号を時系列的に表した図であり、第３図は、基地局１の処理の概要を示すフローチャートであり、第４図は、移動局２の処理の概要を示すフローチャートである。
初期コンフィギュレーション時、移動局２およびその他の移動局では、ＣＱＩ周期計算部２１が、まず、ＲＲＣジグナリングによりＲＮＣから通知されるフィードバックサイクルｋおよびタイミングオフセット情報（ＴＯＦＦ：３ＧＰＰのチップオフセットに相当）を受信する（ステップＳ１，ステップＳ２１）。そして、予め報知チャネルから受け取ったＳＦＮ（Ｃｅｌｌ  Ｓｙｓｔｅｍ  Ｆｒａｍｅ  Ｎｕｍｂｅｒ（ｃｏｕｎｔｅｒ））とタイミングオフセット情報ＴＯＦＦより、ＣＱＩ送信基準値ＣＦＮを計算し（ＴＳ２５．４０２  Ｖ５．３．０第８章参照）、以後１０ｍｓ毎にこの値を更新する。ＣＱＩ周期計算部２１では、このＣＱＩ送信基準値ＣＦＮ、フィードバックサイクルｋおよびタイミングオフセット情報ＴＯＦＦに基づいて既知の（１）式を計算し、個々にＣＱＩの送信タイミングを決定する（ステップＳ２２）。そして、ＣＱＩオフセット調整部２２が、上記で決定した送信タイミングで（ステップＳ２３、ＣＱＩオフセット情報の初期値は０）、ＭＡＣシグナリングまたはＬ１シグナリング（ＨＳ−ＤＰＣＣＨ）によりＣＱＩを基地局１に対して送信する（ステップＳ２，ステップＳ２４）。
一方、基地局１では、ＣＱＩ位置測定部１１が、各移動局から送られてくるＣＱＩを受信し（ステップＳ２，ステップＳ１１）、これらのＣＱＩのフレーム内の位置を測定する（ステップＳ１２）。そして、ＣＱＩオフセット情報生成／送信部１２が、各移動局によるＣＱＩの送信タイミングが分散するように（後述する）、ＣＱＩオフセット情報を生成し（ステップＳ１３）、それらをＭＡＣシグナリングまたはＬ１シグナリング（ＤＰＣＣＨ）により各移動局に対して通知する（ステップＳ３，ステップＳ１４）。ここでは、１つのサブフレームに配置されるＣＱＩの数の合計値の最大値が、なるべく小さくなるようにＣＱＩオフセット情報を生成し、各ＣＱＩの送信タイミングを分散させる。また、１フレームは１０ｍｓ（３８４００ｃｈｉｐ）とし、当該１フレームを所定の間隔（２ｍｓ：７６８０ｃｈｉｐ）で複数に分割したフレームをサブフレームと呼ぶ。
各移動局のＣＱＩオフセット調整部２２では、上記ＣＱＩを送信後（ステップＳ２４）、ＣＱＩオフセット情報を受信した場合（ステップＳ２５，Ｙｅｓ）、受け取ったＣＱＩオフセット情報に基づいてＣＱＩの送信タイミングを調整し（ステップＳ２３）、以降、このタイミングでＣＱＩを送信する（ステップＳ４，ステップＳ２４）。具体的には、ＣＱＩオフセット調整部２２は（１）式で決定した送信タイミングに（ＣＱＩオフセット情報）×（サブフレーム長）を加算し、送信タイミングを決定する。なお、ＣＱＩオフセット情報が受信しなかった場合には（ステップＳ２５，Ｎｏ）、前回と同じタイミングでＣＱＩを送信する（ステップＳ４，ステップＳ２４）。
つづいて、上記ステップＳ１３におけるＣＱＩオフセット情報生成処理の具体例（下記の３つの例）を詳細に説明する。
第５図は、ＣＱＩオフセット情報生成／送信部１２によるＣＱＩオフセット情報生成処理の第１の具体例を示す図である。
ＣＱＩオフセット情報生成／送信部１２では、まず、ＣＱＩ位置測定部１１からのＣＱＩ位置測定情報｛τ（ｐ，１），τ（ｐ，２），…，τ（ｐ，Ｎ）｝を受信する（ステップＳ３１）。なお、τ（ｐ，１）は移動局＃１のＣＱＩ位置情報を表し、τ（ｐ，２）は移動局＃２のＣＱＩ位置情報を表し、…、τ（ｐ，Ｎ）は移動局＃ＮのＣＱＩ位置情報を表し、一般にτ（ｐ，ｑ）と表現する。ただし、ｐ＝｛０，１，２，…，７９｝は時間インデックスを表し、ここでは、一つの移動局に対して、たとえば、８０種類の時間インデックスが入力される。第６図は、上記時間インデックスの一例を示す図である。また、ｑ＝｛０，１，２，…，Ｎ−１｝はＮ個の移動局を表す。また、τ（ｐ，ｑ）は”０”または”１”の値をとり、２ｍｓの期間にＣＱＩがあるときは”１”とし，ないときは”０”とする。ここでは、時間単位の干渉を計算するため、τ（０，ｑ），τ（１，ｑ），…，τ（７９，ｑ）の総和をそれぞれ計算する。
つぎに、ＣＱＩオフセット情報生成／送信部１２では、評価関数Ｊを満足するようなＣＱＩオフセット情報Ｔ（１），Ｔ（２），…，Ｔ（Ｎ）を求める（ステップＳ３２）。なお、Ｔ（１）は移動局＃１のＣＱＩオフセット情報を表し、Ｔ（２）は移動局＃２のＣＱＩオフセット情報を表し、…、Ｔ（Ｎ）は移動局＃ＮのＣＱＩオフセット情報を表し、これらのＣＱＩオフセット情報は、ステップＳ２２で決定したＣＱＩの送信タイミングをＣＱＩオフセット調整部２２にて調整するための情報である。具体的には、ＣＱＩオフセット情報生成／送信部１２は、下記（２）式を満足するときのシフトパターンｊのΔｔｑ，ｉを各ＣＱＩオフセット情報Ｔ（ｑ）として決定する。
上記評価関数Ｊは下記（２）式のように計算する。
2005089004.tif 000004
ただし、Δｔｑ，ｉはＵＥ（ｑ）のｊ番目のシフト量を表し、Ｒｉ，ｊのｉは時間インデックス、ｑはＵＥを特定する番号、Ｍはシフトパターン数をそれぞれ表す。また、Ｒｉは時間インデックスｉの全移動局のτの総和であり、ＣＱＩ位置が存在する場合が”１”なので、ＣＱＩ位置に重なっている移動局数がＲｉとなる。
そして、上記ＭＡＸ（Ｒｉ，ｊ）によりそれらの最大値Ｒｋを求め、ＭＩＮ（Ｒｋ）によりＲｋが最も小さくなるように、Ｔ（１），Ｔ（２），…，Ｔ（Ｎ）を調整する。
具体的には、たとえば、τ（ｐ，０），τ（ｐ，１），τ（ｐ，２），τ（ｐ，３），…，τ（ｐ，７８），τ（ｐ，７９）が｛１０１０…１０｝となる移動局が２台のみ存在する場合、一方を｛０１０１…０１｝となるように調整すると、上記評価関数Ｊを満足することになる。
最終的に、ＣＱＩオフセット情報生成／送信部１２では、上記のように調整したＣＱＩオフセット情報Ｔ（１），Ｔ（２），…，Ｔ（Ｎ）を各移動局に対して送信する（ステップＳ３３）。なお、上述のシフトパターンは予め定められたパターンをメモリに記憶しておいてもよいし、例えば、組合せ可能な全てのパターンを計算により求めてもよい。更には、乱数を用いてサブフレーム単位でシフトさせる計算等、ＣＱＩオフセット情報生成／送信部１２は、ＣＱＩ位置を分散できるような如何なるアルゴリズムを用いてＣＱＩオフセット情報を計算してもよい。
第７図は、ＣＱＩオフセット情報生成／送信部１２によるＣＱＩオフセット情報生成処理の第２の具体例を示す図である。ここでは、上記第５図と異なる処理についてのみ説明する。
ＣＱＩオフセット情報生成／送信部１２では、評価関数Ｊを満足するようなＣＱＩオフセット情報Ｔ（１），Ｔ（２），…，Ｔ（Ｎ）を求める（ステップＳ３２ａ）。
上記評価関数Ｊは下記（３）式のように計算する。
2005089004.tif 000005
このとき、基地局は（３）式を満たす任意のｊを選択する。なお、αは許容干渉レベルを表し、たとえば、α＝２とした場合には、ＣＱＩ位置の重なりが１までしか許容されないことを表している。このαは、上りの許容干渉レベルに基づいて決定されるが、たとえば、基地局が測定結果から決定することとしてもよいし、予め決められた値を用いることとしてもよいし、上位から与えることとしてもよい。
第８図は、ＣＱＩオフセット情報生成／送信部１２によるＣＱＩオフセット情報生成処理の第３の具体例を示す図である。ここでは、上記第５図および第７図と異なる処理についてのみ説明する。
たとえば、ＣＱＩオフセット情報生成／送信部１２では、下記（４）式のように評価関数Ｊを計算する（ステップＳ３４）。
2005089004.tif 000006
そして、ＣＱＩオフセット情報生成／送信部１２では、下記（５）式のように改めて評価関数Ｊ´を計算する（ステップＳ３６）。
2005089004.tif 000007
つぎに、ＣＱＩオフセット情報生成／送信部１２では、上記で求めたＪとＪ´とを比較し（ステップＳ３７）、たとえば、「Ｊ＞Ｊ´」を満たしていれば（ステップＳ３７，Ｙｅｓ）、評価関数Ｊ´を満足するようなＣＱＩオフセット情報Ｔ（１），Ｔ（２），…，Ｔ（Ｎ）を求め、「Ｊ＞Ｊ´」を満たしていない場合は（ステップＳ３７，Ｎｏ）、再度Ｊ´の計算をやり直す。
このように、本実施の形態では、基地局が、各移動局から送られてくるＣＱＩの位置を測定し、各移動局によるＣＱＩの送信タイミングが分散するように、各移動局によるＣＱＩの送信タイミングを再設定する構成とした。これにより、ＣＱＩの偏りが低減され、上り干渉を大幅に低減できる。また、干渉を大幅に低減できることからシステム容量を増大することが可能となる。
つづいて、実施の形態２の処理について説明する。
第９図は、本発明にかかるチャネル品質情報の送信タイミング調整方法を実現するための実施の形態２の無線通信システムの構成を示す図である。
この無線通信システムは、無線ネットワーク制御装置（ＲＮＣ）３ａと、基地局１ａと、移動局２を含むセル内の複数の移動局（図示せず）で構成される。基地局１ａは、ＲＮＣ３ａから送られてくるフィードバックサイクルｋおよびタイミングオフセットＴＯＦＦに基づいてＣＱＩオフセット情報を生成するＣＱＩオフセット情報生成／送信部１２ａを備えている。また、ＲＮＣ３ａは、フィードバックサイクルｋを送信するフィードバックサイクル送信部３１ａと、タイミングオフセット情報を送信するタイミンブオフセット情報送信部３２ａと、を備えている。なお、第９図において、先に説明した実施の形態１の第１図と同様の構成については、同一の符号を付してその説明を省略する。ここでは、実施の形態１と異なる処理についてのみ説明する。
ここで、本実施の形態の無線通信システムの処理を、図面を用いて詳細に説明する。第１０図は、各装置間で送受信する信号を時系列的に表した図であり、第１１図は、ＲＮＣ３ａの処理の概要を示すフローチャートであり、第１２図は、基地局１ａの処理の概要を示すフローチャートであり、第１３図は、移動局２の処理の概要を示すフローチャートである。
ＲＮＣ３ａでは、基地局１ａのセルで通信を行う移動局が追加される度に、ＲＲＣシグナリングにより、追加された移動局に対応するフィードバックサイクルｋおよびタイミングオフセット情報ＴＯＦＦを送信し（ステップＳ１，ステップＳ４１，ステップＳ４２）、さらにＮＢＡＰ（Ｎｏｄｅ  Ｂ  Ａｐｐｌｉｃａｔｉｏｎ  Ｐａｒｔ）により、追加された移動局に対応するフィードバックサイクルｋおよびタイミングオフセット情報ＴＯＦＦを送信する（ステップＳ１ａ，ステップＳ４１，ステップＳ４２）。
移動局２およびその他の移動局では、ＣＱＩ周期計算部２１が、ＲＲＣシグナリングによりＲＮＣ３ａから通知されるフィードバックサイクルｋおよびタイミングオフセット情報を受信する（ステップＳ１，ステップＳ２１）。同時に、基地局１ａでも、ＣＱＩオフセット情報生成／送信部１２ａが、ＮＢＡＰによりＲＮＣ３ａから通知されるフィードバックサイクルｋおよびタイミングオフセット情報ＴＯＦＦを受信する（ステップＳ１ａ，ステップＳ５１）。
基地局１ａのＣＱＩオフセット情報生成／送信部１２ａでは、追加された移動局に対応するフィードバックサイクルおよびタイミングオフセット情報を受信する毎に（ステップＳ１ａ，ステップＳ５１）、各移動局によるＣＱＩの送信タイミングが分散するように、ＣＱＩオフセット情報を生成し（ステップＳ１３ａ）、それらをＭＡＣシグナリングまたはＬ１シグナリングにより各移動局に対して通知する（ステップＳ３，ステップＳ１４）。
また、各移動局のＣＱＩ周期計算部２１では、受け取ったＣＱＩ送信基準値ＣＦＮ、フィードバックサイクルｋおよびタイミングオフセット情報ＴＯＦＦに基づいて既知の（１）式を計算し、個々にＣＱＩの送信タイミングを決定する（ステップＳ２２）。そして、ＣＱＩオフセット調整部２２が、上記ＣＱＩオフセット情報に基づいた送信タイミングで（ステップＳ２３ａ）、ＭＡＣシグナリングまたはＬ１シグナリング（ＨＳ−ＤＰＣＣＨ）によりＣＱＩを基地局１ａに対して送信する（ステップＳ２，ステップＳ２４）。
以降、各移動局のＣＱＩオフセット調整部２２では、ＣＱＩオフセット情報を受信した場合に（ステップＳ２５，Ｙｅｓ）、受け取ったＣＱＩオフセット情報に基づいてＣＱＩの送信タイミングを調整し（ステップＳ２３ａ）、このタイミングでＣＱＩを送信する（ステップＳ２，ステップＳ２４）。なお、ＣＱＩオフセット情報を受信していない場合には（ステップＳ２５，Ｎｏ）、前回と同じタイミングでＣＱＩを送信する（ステップＳ４，ステップＳ２４）。
つづいて、上記ステップＳ１３ａにおけるＣＱＩオフセット情報生成処理の具体例（下記の３つの例）について説明する。
第１４図は、ＣＱＩオフセット情報生成／送信部１２ａによるＣＱＩオフセット情報生成処理の第１の具体例を示す図である。
ＣＱＩオフセット情報生成／送信部１２ａでは、まず、ＲＮＣ３ａから送られてくるタイミングオフセット値ＣＱＩ｛ＯＦＦＳＥＴ（１），ＯＦＦＳＥＴ（２），…，ＯＦＦＳＥＴ（Ｎ）｝、およびフィードバックサイクルｋ＝｛Ｋ（１），Ｋ（２），…，Ｋ（Ｎ）｝を受信する（ステップＳ６１）。
そして、ＣＱＩオフセット情報生成／送信部１２ａでは、上記タイミングオフセット値およびフィードバックサイクルｋを、既知の方法（ＴＳ２５．２１１  ７．１および７．７、ＴＳ２５．２１４  ６Ａ．１．２参照）で、ＣＱＩ位置測定情報｛τ（ｐ，１），τ（ｐ，２），…，τ（ｐ，Ｎ）｝に変換する（ステップＳ６２）。以降、実施の形態１の第５図と同様の手順で、ステップＳ３２およびステップＳ３３を実行する。
第１５図は、ＣＱＩオフセット情報生成／送信部１２ａによるＣＱＩオフセット情報生成処理の第２の具体例を示す図である。ここでは、上記第１４図と同様の手順で、ステップＳ６１およびステップＳ６２を実行し、その後、実施の形態１の第７図と同様の手順で、ステップＳ３２ａおよびステップＳ３３を実行する。
第１６図は、ＣＱＩオフセット情報生成／送信部１２ａによるＣＱＩオフセット情報生成処理の第３の具体例を示す図である。ここでは、上記第１４図および第１５図と同様の手順で、ステップＳ６１およびステップＳ６２を実行し、その後、実施の形態１の第８図と同様の手順で、ステップＳ３４、ステップＳ３６、ステップＳ３７およびステップＳ３３を実行する。
このように、本実施の形態では、基地局が、ＲＮＣから送られてくるタイミングオフセット情報およびフィードバックサイクルに基づいて、各移動局によるＣＱＩの送信タイミングが分散するように、各移動局によるＣＱＩの送信タイミングを設定する構成とした。これにより、実施の形態１と同様の効果が得られると同時に、さらに、ＣＱＩの位置を測定するための構成を削除することができるので、基地局における回路規模を縮小できる。
つづいて、実施の形態３の処理について説明する。
第１７図は、本発明にかかるチャネル品質情報の送信タイミング調整方法を実現するための実施の形態３の無線通信システムの構成を示す図である。ここでは、ＭＡＣシグナリングまたはＬ１シグナリングのオーバーヘッドを回避するため、ＲＮＣ経由で、各移動局によるＣＱＩの送信タイミングを再設定する。
上記第１７図に示す無線通信システムは、基地局１ｂと、移動局２ｂを含むセル内の複数の移動局（図示せず）と、ＲＮＣ３ｂで構成される。基地局１ｂは、ＣＱＩ位置測定部１１による測定結果に基づいてＣＱＩ送信タイミングのオフセット情報（ＣＱＩオフセット情報）を生成するＣＱＩオフセット情報生成／送信部１２ｂを備えている。また、ＲＮＣ３ｂは、フィードバックサイクルｋを送信するフィードバックサイクル送信部３１ｂと、タイミングオフセット情報を送信するタイミングオフセット情報送信部３２ｂと、ＣＱＩオフセット情報生成／送信部１２ｂにて生成したＣＱＩオフセット情報を移動局に転送するＣＱＩオフセット情報送信部３３ｂと、を備えている。なお、先に説明した実施の形態１の第１図または実施の形態２の第９図と同様の構成については、同一の符号を付してその説明を省略する。
ここで、本実施の形態の無線通信システムの処理を、図面を用いて詳細に説明する。第１８図は、各装置間で送受信する信号を時系列的に表した図であり、第１９図は、ＲＮＣ３ｂの処理の概要を示すフローチャートであり、第２０図は、基地局１ｂの処理の概要を示すフローチャートであり、第２１図は、移動局２ｂの処理の概要を示すフローチャートである。
初期コンフィギュレーション時、ＲＮＣ３ｂでは、フィードバックサイクル送信部３１ｂが、ＲＲＣシグナリングによりフィードバックサイクルｋ等のＣＱＩ送信タイミングを計算するために必要な情報を送信する（ステップＳ１、ステップＳ７１，Ｙｅｓ、ステップＳ７２）。また、タイミングオフセット情報送信部３２ｂが、ＲＲＣシグナリングによりタイミングオフセット情報（３ＧＰＰのチップオフセットに相当）を送信する（ステップＳ１、ステップＳ７１，Ｙｅｓ、ステップＳ７２）。
そして、移動局２ｂおよびその他の移動局では、ＣＱＩ周期計算部２１が、ＲＲＣシグナリングによりフィードバックサイクルｋおよびタイミングオフセット情報ＴＯＦＦを受信する（ステップＳ１，ステップＳ２１）。ＣＱＩ周期計算部２１では、受け取ったフィードバックサイクルｋおよびタイミングオフセット情報ＴＯＦＦに基づいて既知の（１）式を計算し、個々にＣＱＩの送信タイミングを決定する（ステップＳ２２）。そして、ＣＱＩオフセット調整部２２ｂが、上記で決定した送信タイミングで（ステップＳ２３ｂ、ＣＱＩオフセット情報の初期値は０）、ＭＡＣシグナリングまたはＬ１シグナリング（ＨＳ−ＤＰＣＣＨ）によりＣＱＩを基地局１ｂに対して送信する（ステップＳ２，ステップＳ２４）。
基地局１ｂでは、ＣＱＩ位置測定部１１が、各移動局から送られてくるＣＱＩを受信し（ステップＳ２，ステップＳ１１）、これらのＣＱＩのフレーム内の位置を測定する（ステップＳ１２）。そして、ＣＱＩオフセット情報生成／送信部１２ｂが、各移動局によるＣＱＩの送信タイミングが分散するように、ＣＱＩオフセット情報を生成し（ステップＳ１３）、それらをＮＢＡＰによりＲＮＣ３ｂに対して通知する（ステップＳ３，ステップＳ８１）。
そして、ＲＮＣ３ｂのＣＱＩオフセット情報送信部３３ｂでは、基地局１ｂから送られてくるＣＱＩオフセット情報を（ステップＳ７３，Ｙｅｓ）、さらに、ＲＲＣシグナリングにより各移動局に対して通知する（リコンフィギュレーション、ステップＳ３ａ，ステップＳ７４）。なお、ＣＱＩオフセット情報を受信する前に、セル内に新たな移動局が追加された場合には（ステップＳ７３，Ｎｏ）、ステップＳ７１の処理を優先的に実行する。
その後、各移動局のＣＱＩオフセット調整部２２ｂでは、ＲＮＣ３から送られてくるＣＱＩオフセット情報を受信すると（ステップＳ２５，Ｙｅｓ）、そのＣＱＩオフセット情報に基づいてＣＱＩの送信タイミングを調整し（ステップＳ２３ｂ）、以降、このタイミングでＣＱＩを送信する（ステップＳ４，ステップＳ２４）。なお、ＣＱＩオフセット情報が受信しなかった場合には（ステップＳ２５，Ｎｏ）、前回と同じタイミングでＣＱＩを送信する（ステップＳ４，ステップＳ２４）。
なお、上記ステップＳ１３におけるＣＱＩオフセット情報生成処理の具体例については、先に説明した実施の形態１の第５図、第７図、第８図と同様であるため、その説明を省略する。
このように、本実施の形態では、基地局が、各移動局から送られてくるＣＱＩの位置を測定し、さらに、その測定結果に基づいて、各移動局によるＣＱＩの送信タイミングが分散するようにＣＱＩオフセット情報を生成し、ＲＮＣが、そのＣＱＩオフセット情報に基づいて、各移動局によるＣＱＩの送信タイミングを再設定する構成とした。これにより、ＭＡＣシグナリングまたはＬ１シグナリングのオーバーヘッドを回避しつつ、前述の実施の形態１と同様の効果を得ることができる。
なお、本実施の形態においては、ＣＱＩオフセット情報生成処理を基地局で行う構成としたが、これに限らず、たとえば、ＲＮＣで行うこととしてもよい。この場合、基地局に変えて、ＲＮＣにＣＱＩオフセット情報生成機能を持たせ、基地局がＲＮＣに対してＣＱＩ位置測定結果を通知する構成となる。すなわち、ＲＮＣ及び基地局を含むネットワーク装置がＣＱＩオフセット情報を生成すればよく、ＣＱＩオフセット情報生成機能はネットワーク装置におけるＲＮＣ又は基地局のどちらにあってもよい。
つづいて、実施の形態４の処理について説明する。
第２２図は、本発明にかかるチャネル品質情報の送信タイミング調整方法を実現するための実施の形態４の無線通信システムの構成を示す図である。ここでは、実施の形態３と同様に、ＭＡＣシグナリングまたはＬ１シグナリングのオーバーヘッドを回避するため、ＲＮＣ経由で、各移動局によるＣＱＩの送信タイミングを再設定する。
上記第２２図に示す無線通信システムは、基地局１ｃと、移動局２ｃを含むセル内の複数の移動局（図示せず）と、ＲＮＣ３ｃで構成される。基地局１ｃは、ＣＱＩ位置測定部１１による測定結果に基づいてタイミングオフセット情報（３ＧＰＰのチップオフセットに相当）を生成するタイミングオフセット情報生成／送信部１３ｃを備えている。このタイミングオフセット情報生成／送信部１３ｃには、ＣＱＩ位置測定部１１に接続され、タイミングオフセット情報を生成するタイミングオフセット情報生成部、並びに、タイミングオフセット情報生成部及びタイミングオフセット情報生成部が生成したタイミングオフセット情報を通信路を介してＲＮＣ３ｃへ送信する送信部が含まれている。また、ＲＮＣ３ｃは、前述したタイミングオフセット情報送信部３２ｂの機能に加えて、さらに、リコンフィグレーション時に、タイミングオフセット情報生成／送信部１３ｃにて生成したタイミングオフセット情報を各移動局に転送するタイミングオフセット情報送信部３２ｃを備えている。なお、先に説明した実施の形態１の第１図、実施の形態２の第９図または実施の形態３の第１７図と同様の構成については、同一の符号を付してその説明を省略する。
ここで、本実施の形態の無線通信システムの処理を、図面を用いて詳細に説明する。第２３図は、各装置間で送受信する信号を時系列的に表した図であり、第２４図は、ＲＮＣ３ｃの処理の概要を示すフローチャートであり、第２５図は、基地局１ｃの処理の概要を示すフローチャートであり、第２６図は、移動局２ｃの処理の概要を示すフローチャートである。
初期コンフィギュレーション時、ＲＮＣ３ｃでは、フィードバックサイクル送信部３１ｂが、ＲＲＣシグナリングによりフィードバックサイクルｋ等のＣＱＩ送信タイミングを計算するために必要な情報を送信する（ステップＳ１、ステップＳ７１，Ｙｅｓ、ステップＳ７２）。また、タイミングオフセット情報送信部３２ｃが、ＲＲＣシグナリングによりタイミングオフセット情報（３ＧＰＰのチップオフセットに相当）を送信する（ステップＳ１、ステップＳ７１，Ｙｅｓ、ステップＳ７２）。なお、セル内に新たな移動局が追加されていない場合には（ステップＳ７１，Ｎｏ）、タイミングオフセット情報を受信しているかどうかを確認する（ステップＳ９１）。
そして、移動局２ｃおよびその他の移動局では、ＣＱＩ周期計算部２１が、ＲＲＣジグナリングによりフィードバックサイクルｋおよびタイミングオフセット情報ＴＯＦＦを受信する（ステップＳ１，ステップＳ２１）。ＣＱＩ周期計算部２１では、受け取ったフィードバックサイクルｋおよびタイミングオフセット情報ＴＯＦＦに基づいて既知の（１）式を計算し、個々にＣＱＩの送信タイミングを決定する（ステップＳ２２）。そして、ＣＱＩ周期計算部２１が、上記で決定した送信タイミングで、ＭＡＣシグナリングまたはＬ１シグナリング（ＨＳ−ＤＰＣＣＨ）によりＣＱＩを基地局１ｃに対して送信する（ステップＳ２，ステップＳ２４）。
基地局１ｃでは、ＣＱＩ位置測定部１１が、各移動局から送られてくるＣＱＩを受信し（ステップＳ２，ステップＳ１１）、これらのＣＱＩのフレーム内の位置を測定する（ステップＳ１２）。そして、タイミングオフセット情報生成／送信部１３ｃが、各移動局によるＣＱＩの送信タイミングが分散するように、タイミングオフセット情報を生成し（ステップＳ１０１）、それらをＮＢＡＰによりＲＮＣ３ｃに対して通知する（ステップＳ１ｂ，ステップＳ１０２）。
そして、ＲＮＣ３ｃのタイミングオフセット情報送信部３２ｃでは、基地局１ｃから送られてくるタイミングオフセット情報を（ステップＳ９１，Ｙｅｓ）、さらに、ＲＲＣシグナリングにより各移動局に対して通知する（リコンフィギュレーション、ステップＳ１ｃ，ステップＳ９２）。なお、タイミングオフセット情報を受信する前に、セル内に新たな移動局が追加された場合には（ステップＳ９１，Ｎｏ）、ステップＳ７１の処理を優先的に実行する。
その後、各移動局のＣＱＩ周期計算部２１では、ＲＮＣ３から送られてくるタイミングオフセット情報を受信すると（ステップＳ１１１，Ｙｅｓ）、そのタイミングオフセット情報に基づいてＣＱＩ周期を再計算し（ステップＳ２２）、以降、このタイミングでＣＱＩを送信する（ステップＳ４，ステップＳ２４）。なお、タイミングオフセット情報が受信できなかった場合には（ステップＳ１１１，Ｎｏ）、前回と同じタイミングでＣＱＩを送信する（ステップＳ４，ステップＳ２４）。
つづいて、上記ステップＳ１０１におけるタイミングオフセット情報生成処理の具体例（下記の３つの例）を詳細に説明する。
第２７図は、タイミングオフセット情報生成／送信部１３ｃによるタイミングオフセット情報生成処理の第１の具体例を示す図である。
ここでは、前述した第５図と同様の手順で、ステップＳ３１を実行し、その後、タイミングオフセット情報生成／送信部１３ｃが、評価関数Ｊを満足するようなタイミングオフセット情報Ｏ（１），Ｏ（２），…，Ｏ（Ｎ）を求める（ステップＳ１２１）。評価関数Ｊは前述した（２）式のように計算する。すなわち、（２）式のＭＡＸ（Ｒｉ，ｊ）によりそれらの最大値Ｒｋを求め、ＭＩＮ（Ｒｋ）によりＲｋが最も小さくなるように、ＣＱＩオフセット情報Ｔ（１），Ｔ（２），…，Ｔ（Ｎ）を求め、Ｏ（１），Ｏ（２），…，Ｏ（Ｎ）を以下の式（６）により求める。
2005089004.tif 000008
なお、Ｏ（１）は移動局＃１のタイミングオフセット情報を表し、Ｏ（２）は移動局＃２のタイミングオフセット情報を表し、…、Ｏ（Ｎ）は移動局＃Ｎのタイミングオフセット情報を表し、これらのタイミングオフセット情報は、実施の形態１にて求めたＣＱＩオフセット情報Ｔ（１），…Ｔ（Ｎ）とは異なり、すなわち、ステップＳ２２で決定したＣＱＩ周期を調整するための情報ではなく、ＣＱＩ周期を直接再計算するための情報（ＴＯＦＦに相当）である。
そして、タイミングオフセット情報生成／送信部１３ｃは、上記のように調整した各タイミングオフセット情報Ｏ（１），Ｏ（２），…，Ｏ（Ｎ）を修正されたタイミングオフセット情報ＴＯＦＦとしてＲＮＣ３ｃに対して送信する（ステップＳ１２２）。
第２８図は、タイミングオフセット情報生成／送信部１３ｃによるタイミングオフセット情報生成処理の第２の具体例を示す図である。ここでは、上記第２７図と異なる処理についてのみ説明する。
タイミングオフセット情報生成／送信部１３ｃでは、評価関数Ｊを満足するようなタイミングオフセット情報Ｏ（１），Ｏ（２），…，Ｏ（Ｎ）を求める（ステップＳ１２１ａ）。評価関数Ｊは前述した（３）式のように計算する。たとえば、許容干渉レベルα＝２とした場合には、ＣＱＩ位置の重なりが１までしか許容されないようにＯ（１），Ｏ（２），…，Ｏ（Ｎ）が決定され、これに基づいてＣＱＩ周期の再計算が行われることになる。
第２９図は、タイミングオフセット情報生成／送信部１３ｃによるタイミングオフセット情報生成処理の第３の具体例を示す図である。ここでは、上記第２７図および第２８図と異なる処理についてのみ説明する。
第２９図においては、上記第８図と同様の手順で、ステップＳ３１、ステップＳ３４〜ステップＳ３６を実行し、その後、タイミングオフセット情報生成／送信部１３ｃが、（４）式と（５）式で求めたＪとＪ´とを比較し（ステップＳ１２３）、たとえば、「Ｊ＞Ｊ´」を満たしていれば（ステップＳ１２３，Ｙｅｓ）、評価関数Ｊ´を満足するようなタイミングオフセット情報Ｏ（１），Ｏ（２），…，Ｏ（Ｎ）を求め、「Ｊ＞Ｊ´」を満たしていない場合は（ステップＳ１２３，Ｎｏ）、再度Ｊ´の計算をやり直す。
このように、本実施の形態では、基地局が、各移動局から送られてくるＣＱＩの位置を測定し、さらに、その測定結果に基づいて、移動局が直接ＣＱＩ周期を再計算可能な情報であるタイミングオフセット情報を生成し、ＲＮＣが、そのタイミングオフセット情報に基づいて、各移動局によるＣＱＩの送信タイミングを再設定する構成とした。これにより、ＭＡＣシグナリングまたはＬ１シグナリングのオーバーヘッドを回避しつつ、前述の実施の形態１と同様の効果を得ることができる。
なお、本実施の形態においては、タイミングオフセット情報生成処理を基地局で行う構成としたが、これに限らず、たとえば、ＲＮＣで行うこととしてもよい。この場合、基地局に変えて、ＲＮＣにタイミングオフセット情報生成機能を持たせ、基地局がＲＮＣに対してＣＱＩ位置測定結果を通知する構成となる。
また、タイミングオフセット情報生成部は、ＣＱＩオフセットＴ（ｑ）を計算せず、直接チップ単位でタイミングオフセット情報Ｏ（ｑ）を計算するようにしてもよい。
つづいて、実施の形態５の処理について説明する。
第３０図は、本発明にかかるチャネル品質情報の送信タイミング調整方法を実現するための実施の形態５の無線通信システムの構成を示す図である。
この無線通信システムは、実施の形態２の応用例であり、無線ネットワーク制御装置（ＲＮＣ）３ａと、基地局１ｄと、移動局２を含むセル内の複数の移動局（図示せず）で構成される。基地局１ｄは、各移動局との間でＲＴＴ（Ｒｏｕｎｄ  Ｔｒｉｐ  Ｔｉｍｅ）を測定するＲＴＴ測定部１４ｄと、ＲＮＣ３ａから送られてくるフィードバックサイクルｋ、タイミングオフセットＴＯＦＦ、およびＲＴＴに基づいてＣＱＩオフセット情報を生成するＣＱＩオフセット情報生成／送信部１２ｄと、を備えている。なお、第３０図において、先に説明した実施の形態２の第９図と同様の構成については、同一の符号を付してその説明を省略する。ここでは、実施の形態２と異なる処理についてのみ説明する。
以下、本実施の形態のＣＱＩオフセット情報生成処理の具体例（下記の３つの例）について説明する。第３１図、第３２図、第３３図は、ＣＱＩオフセット情報生成／送信部１２ｄによるＣＱＩオフセット情報生成処理の具体例を示す図である。ここでは、上記第１４図、第１５図、第１６図と異なる処理についてのみ説明する。
ＣＱＩオフセット情報生成／送信部１２ｄでは、まず、ＲＮＣ３ａから送られてくるタイミングオフセット値ＣＱＩ｛ＯＦＦＳＥＴ（１），ＯＦＦＳＥＴ（２），…，ＯＦＦＳＥＴ（Ｎ）｝、フィードバックサイクルｋ＝｛Ｋ（１），Ｋ（２），…，Ｋ（Ｎ）｝、およびラウンドトリップ時間｛ＲＴＴ（１），ＲＴＴ（２），…，ＲＴＴ（Ｎ）｝を受信する（ステップＳ１３１）。
そして、ＣＱＩオフセット情報生成／送信部１２ｄでは、上記タイミングオフセット値にラウンドトリップ時間を加算した値に基づいて（１）式のＣＦＮを求め（ＴＳ２５．４０２  Ｖ５．３．０第８章参照）、ＣＦＮとフィードバックサイクルｋおよびラウンドトリップ時間に基づいて、ＣＱＩ位置測定情報｛τ（ｐ，１），τ（ｐ，２），…，τ（ｐ，Ｎ）｝を生成する（ステップＳ１３２）。以降、実施の形態２の第１４図、第１５図、第１６図と同様の手順で、各ステップの処理を実行する。なお、ここでラウンドトリップ時間を加算するのは、送信タイミングの基準となる同期信号が基地局から端末に送られているため、この同期信号の遅延時間及び端末から基地局へのＣＱＩ送信の遅延時間の両方を考慮するためである。
このように、本実施の形態では、基地局が、ＲＮＣから送られてくるタイミングオフセット情報、フィードバックサイクル、および自装置内で測定した各移動局のラウンドトリップ時間に基づいて、各移動局によるＣＱＩの送信タイミングが分散するように、各移動局によるＣＱＩの送信タイミングを設定する構成とした。これにより、実施の形態２と同様の効果が得られると同時に、さらに、高精度な無線リソース割り当て制御が可能となる。すなわち、基地局と移動局間の遅延時間を考慮して受信タイミングを判定するため、より精度の高い受信状況の判定を行うことができる。
つづいて、実施の形態６の処理について説明する。
第３４図は、本発明にかかるチャネル品質情報の送信タイミング調整方法を実現するための実施の形態６の無線通信システムの構成を示す図である。本実施の形態は、実施の形態５の応用例であり、ここでは、ＭＡＣシグナリングまたはＬ１シグナリングのオーバーヘッドを回避するため、ＲＮＣ経由で、各移動局によるＣＱＩの送信タイミングを再設定する。
この無線通信システムは、無線ネットワーク制御装置（ＲＮＣ）３ｅと、基地局１ｅと、移動局２ｃを含むセル内の複数の移動局（図示せず）で構成される。基地局１ｅは、ＲＮＣ３ａから送られてくるフィードバックサイクルｋ、タイミングオフセットＴＯＦＦ、およびＲＴＴに基づいてタイミングオフセット情報（３ＧＰＰのチップオフセットに相当）を生成するタイミングオフセット情報生成／送信部１３ｅを備えている。また、ＲＮＣ３ｅは、前述したタイミングオフセット情報送信部３２ａの機能に加えて、さらに、リコンフィグレーション時に、タイミングオフセット情報生成／送信部１ｅにて生成したタイミングオフセット情報を各移動局に転送するタイミンブオフセット情報送信部３２ｅを備えている。なお、第３４図において、先に説明した実施の形態と同様の構成については、同一の符号を付してその説明を省略する。ここでは、先に説明した各実施の形態と異なる処理についてのみ説明する。
以下、本実施の形態のタイミングオフセット情報生成処理の具体例（下記の３つの例）について説明する。
第３５図は、タイミングオフセット情報生成／送信部１３ｅによるタイミングオフセット情報生成処理の第１の具体例を示す図である。ここでは、実施の形態５の第３１図と同様の手順で、ステップＳ１３１およびステップＳ１３２を実行し、その後、実施の形態４の第２７図と同様の手順で、ステップＳ１２１およびステップＳ１２２を実行する。
第３６図は、タイミングオフセット情報生成／送信部１３ｅによるタイミングオフセット情報生成処理の第２の具体例を示す図である。ここでは、実施の形態５の第３２図と同様の手順で、ステップＳ１３１およびステップＳ１３２を実行し、その後、実施の形態４の第２８図と同様の手順で、ステップＳ１２１ａおよびステップＳ１２２を実行する。
第３７図は、タイミングオフセット情報生成／送信部１３ｅによるタイミングオフセット情報生成処理の第３の具体例を示す図である。ここでは、実施の形態５の第３３図と同様の手順で、ステップＳ１３１、ステップＳ１３２、ステップＳ３４、およびステップＳ３６を実行し、その後、実施の形態４の第２９図と同様の手順で、ステップＳ１２３、ステップＳ３６およびステップＳ１２２を実行する。
このように、本実施の形態では、基地局が、ＲＮＣから送られてくるタイミングオフセット情報、フィードバックサイクル、および自装置内で測定した各移動局のラウンドトリップ時間に基づいて、直接ＣＱＩ周期を再計算可能な情報であるタイミングオフセット情報を生成し、ＲＮＣが、そのタイミングオフセット情報に基づいて、各移動局によるＣＱＩの送信タイミングを再設定する構成とした。これにより、ＭＡＣシグナリングまたはＬ１シグナリングのオーバーヘッドを回避しつつ、前述の実施の形態５と同様の効果を得ることができる。
なお、上述の各実施の形態におけるフローチャートの処理は、コンピュータにより実行されるプログラムとして、実行することもできる。各プログラムは、基地局からの無線通信によって書き換えることもできるし、記憶媒体に記憶して配布することもできる。
【産業上の利用可能性】  以上のように、本発明にかかるチャネル品質情報の送信タイミング調整方法は、移動局が基地局に対して定期的にＣＱＩを送信する無線通信システムに有用であり、たとえば、３ＧＰＰの中で規定されているＨＳＤＰＡを採用する無線通信システムおけるＣＱＩ送信タイミング調整方法として適している。
【図１】
2005089004.tif 000009
【図２】
2005089004.tif 000010
【図３】
2005089004.tif 000011
【図４】
2005089004.tif 000012
【図５】
2005089004.tif 000013
【図６】
2005089004.tif 000014
【図７】
2005089004.tif 000015
【図８】
2005089004.tif 000016
【図９】
2005089004.tif 000017
【図１０】
2005089004.tif 000018
【図１１】
2005089004.tif 000019
【図１２】
2005089004.tif 000020
【図１３】
2005089004.tif 000021
【図１４】
2005089004.tif 000022
【図１５】
2005089004.tif 000023
【図１６】
2005089004.tif 000024
【図１７】
2005089004.tif 000025
【図１８】
2005089004.tif 000026
【図１９】
2005089004.tif 000027
【図２０】
2005089004.tif 000028
【図２１】
2005089004.tif 000029
【図２２】
2005089004.tif 000030
【図２３】
2005089004.tif 000031
【図２４】
2005089004.tif 000032
【図２５】
2005089004.tif 000033
【図２６】
2005089004.tif 000034
【図２７】
2005089004.tif 000035
【図２８】
2005089004.tif 000036
【図２９】
2005089004.tif 000037
【図３０】
2005089004.tif 000038
【図３１】
2005089004.tif 000039
【図３２】
2005089004.tif 000040
【図３３】
2005089004.tif 000041
【図３４】
2005089004.tif 000042
【図３５】
2005089004.tif 000043
【図３６】
2005089004.tif 000044
【図３７】
2005089004.tif 000045
【国際調査報告】
2005089004.tif 000046
2005089004.tif 000047